(57)【要約】【課題】  ガイドピン自体にプロジェクションナットの保持機能を持たせた電気抵抗溶接用電極のガイドピンを提供する。【解決手段】  挿入部１１がプロジェクションナット１のねじ孔３に相対的に進入するとともに電気抵抗溶接用電極５に組み付けられているものであり、その軸線Ｏ−Ｏはほぼ水平方向に配置され、前記挿入部１１の外周面に抜け止め部２３が形成されている。このため、電極の軸線Ｏ−Ｏ方向におけるナット１の保持性は一層確実になる。【選択図】図１
2010142875.tif 000002
【特許請求の範囲】
【請求項１】
挿入部がプロジェクションナットのねじ孔に相対的に進入するとともに電気抵抗溶接用電極に組み付けられているものであり、その軸線はほぼ水平方向に配置され、前記挿入部の外周面に抜け止め部が形成されていることを特徴とする電気抵抗溶接用電極のガイドピン。
【請求項２】
前記挿入部は、その直径が全長にわたって不変である請求項１記載の電気抵抗溶接用電極のガイドピン。
【請求項３】
前記抜け止め部は、挿入部の円周方向に形成された突条である請求項１または請求項２記載の電気抵抗溶接用電極のガイドピン。
【請求項４】
前記突条は、複数の環状突条とされている請求項３記載の電気抵抗溶接用電極のガイドピン。
【請求項５】
前記突条は、単一の螺旋突条とされている請求項３記載の電気抵抗溶接用電極のガイドピン。
【請求項６】
前記突条は、挿入部の外周に設けた凹溝にはめ込んだ弾性リングである請求項３記載の電気抵抗溶接用電極のガイドピン。
【発明の詳細な説明】
【技術分野】
【０００１】  この発明は、プロジェクションナットの保持性の良好な電気抵抗溶接用電極のガイドピンに関している。
【背景技術】
【０００２】  プロジェクションナットのねじ孔に相対的に進入するガイドピンが、電気抵抗溶接用電極に組み付けられている。このガイドピンが上方にほぼ鉛直方向に起立している場合には、上記ナットのねじ孔にガイドピンが入り込んだ状態を保持することができる。しかし、これとは逆にガイドピンが電極から下向きに突出している場合には、ナットが落下するので、特開平１０−０４３８７０号公報に示すように、ガイドピンから落下防止用の空気を噴射している。【０００３】  あるいは、図４に示すような空気噴射タイプのものが知られている。これは、ガイドピンがほぼ水平方向に配置されているものである。プロジェクションナット１は、図４（Ｂ）に示されている。以下の説明において、プロジェクションナットを単にナットと表現する場合もある。ナット１は、平面的にみると正方形の四角い本体部２と、その中央に設けたねじ孔３と、本体部２の片側の四隅に形成された溶着用突起４から構成されている。ナット１の各部の寸法は、本体部２の縦横寸法は１３ｍｍ、ねじ孔３の軸線方向の高さ寸法は６ｍｍ、ねじ孔３の内径は６ｍｍである。【０００４】  図４に示した電極部分の構造ついて説明すると、固定電極５と可動電極６の中心軸線Ｏ−Ｏが水平方向に配置してある。可動電極６は、エアシリンダ等の進退駆動手段（図示していない）によって進退するようになっている。固定電極５の端部に設けたガイド部７に中心軸線Ｏ−Ｏ方向にガイド孔８があけられ、ここに摺動可能な状態でステンレス鋼製の断面円形とされたガイドピン９が挿入されている。ガイドピン９には、ガイド孔８内を摺動する摺動部１０と、ねじ孔３内に進入する挿入部１１とフランジ部１２が形成されている。ガイドピン９の中心軸線は、前記軸線Ｏ−Ｏと同軸になっている。ガイドピン９を進退させるために、シリンダ部１３が設けられ、ここにフランジ部１２に一体成型をした合成樹脂製のピストン部１４が摺動自在な状態で挿入されている。シリンダ部１３内には、ガイドピン９を突出方向に付勢する圧縮コイルスプリング１５が挿入してある。【０００５】  支持治具１７に載置された断面Ｌ型の鋼板部品１８が固定電極５の端面に密着しており、鋼板部品１８にあけられた下孔をガイドピン９が貫通し、挿入部１１が突出している。ねじ孔３を挿入部１１にはめ合わせるためには、ロボット装置で動作するチャック機構や、供給ロッドなど種々な手段が採用できる。ここでは供給ロッド１９である。供給ロッド１９がねじ孔３に貫通し、供給ロッド１９の先端部が挿入部１１の直近で停止すると、ねじ孔３内に挿入部１１が相対的に進入して図示の状態になる。【０００６】  このような状態になるのと同時に、ナット１が挿入部１１から落下するのを防止するために、空気が吹き付けられる。この空気は、可動電極６に形成した空気通路２０の端部に空気噴射口２１が設けられ、ここからの噴射空気がナット１の端面に吹き付けられ、その時に作用する動圧で落下が防止されている。【０００７】  次いで、可動電極６が進出してナット１を加圧し溶接電流が通電されて、溶着用突起４が鋼板部品１８に溶接される。
【特許文献１】特開平１０−０４３８７０号公報
【発明の開示】
【発明が解決しようとする課題】
【０００８】  上述のような特開平１０−０４３８７０号公報や図４に記載された構造であると、空気噴射の方向が狂ったり、空気流量が不足したりした場合、ナット１が挿入部１１から落下する。空気通路や噴射口を構成するために、その構造が複雑になる。空気噴射であるから圧縮空気の消費量が増大して不経済であり、省エネの面からも改善が必要である。さらに、空気噴射による噴射騒音によって、工場環境が低下するという、問題がある。【０００９】  本発明は、上記の問題点を解決するために提供されたもので、ガイドピン自体にプロジェクションナットの保持機能を持たせた電気抵抗溶接用電極のガイドピンの提供を目的とする。
【問題を解決するための手段】
【００１０】  請求項１記載の発明は、挿入部がプロジェクションナットのねじ孔に相対的に進入するとともに電気抵抗溶接用電極に組み付けられているものであり、その軸線はほぼ水平方向に配置され、前記挿入部の外周面に抜け止め部が形成されていることを特徴とする電気抵抗溶接用電極のガイドピンである。
【発明の効果】
【００１１】  プロジェクションナットのねじ孔に相対的に進入したガイドピンには、その外周面に抜け止め部が形成されているので、ねじ孔のねじ山に抜け止め部がひっかかった状態になり、ナットに振動や何等かの部材が干渉して電極の軸線方向に抜けようとしても、ナットはガイドピンから外れることなく確実に保持される。そして、空気噴射のような方式ではないので、構造が簡素化され、圧縮空気の浪費も回避でき、省エネの面において効果的である。
【００１２】  請求項２記載の発明は、前記挿入部は、その直径が全長にわたって不変である請求項１記載の電気抵抗溶接用電極のガイドピンである。
【００１３】  前記挿入部の直径は全長にわたって不変である。つまり、挿入部はテーパ型のように傾斜した状態ではないので、電極の軸線方向におけるナットの保持性がより確実にえられる。
【００１４】  請求項３記載の発明は、前記抜け止め部は、挿入部の円周方向に形成された突条である請求項１または請求項２記載の電気抵抗溶接用電極のガイドピンである。
【００１５】  ねじ孔に形成された雌ねじのねじ山が、前記円周方向に形成された突条にひっかかった状態になり、ナットに振動や何等かの部材が干渉しても、ナットはガイドピンから電極の軸線方向に外れることなく確実に保持される。
【００１６】  請求項４記載の発明は、前記突条は、複数の環状突条とされている請求項３記載の電気抵抗溶接用電極のガイドピンである。
【００１７】  挿入部の円周方向に形成されている環状突条が複数とされているから、ねじ孔のねじ山とのひっかかりが複数箇所において成立し、電極の軸線方向におけるナットの保持性は一層確実になる。
【００１８】  請求項５記載の発明は、前記突条は、単一の螺旋突条とされている請求項３記載の電気抵抗溶接用電極のガイドピンである。
【００１９】  前記挿入部に単一の螺旋突条、すなわち雄ねじが切られているから、多数の箇所で雌ねじのねじ山とのひっかかりが成立し、電極の軸線方向におけるナットの保持性は一層確実になる。
【００２０】  請求項６記載の発明は、前記突条は、挿入部の外周に設けた凹溝にはめ込んだ弾性リングである請求項３記載の電気抵抗溶接用電極のガイドピンである。
【００２１】  突条が弾性リングとされているので、雌ねじのねじ山が弾性リングの表面に食い込むような状態になり、電極の軸線方向におけるナットの保持性は一層確実になる。
【発明を実施するための最良の形態】
【００２２】  つぎに、本発明の電気抵抗溶接用電極のガイドピンを実施するための最良の形態を説明する。
【実施例１】
【００２３】  本実施例におけるガイドピンの構造について、図４に基づいて説明した構成と同じ部分については、同じ符号を記載して詳細な説明は省略してある。【００２４】  図１〜図３は、実施例１を示す。【００２５】  図１に示すように、断面円形の挿入部１１はその直径が全長にわたって不変なものとされている。つまり、外観的には円筒状である。挿入部１１の外周面に抜け止め部２３が形成されている。この抜け止め部２３は、円周方向に形成した多数の突条２４である。図１（Ｂ）に示すように、突条２４はその断面形状がねじ山のように尖った形状とされている。ナット１のねじ孔３内に挿入部１１が相対的に進入すると、雌ねじのねじ山が多数の突条２４にひっかかった状態になり、電極軸線Ｏ−Ｏ方向に抜けることが確実に防止され、ナット１の保持性が確実なものとなる。前述のように、ねじ孔３の内径は６ｍｍであるから、挿入部１１の外形は５ｍｍに設定されている。なお、挿入部１１の先端部は挿入を滑らかにするために、球面部２５が形成されている。【００２６】  図２（Ａ）に示したものは、突条２４が単一の螺旋突条とされているものである。この単一の螺旋突条は、挿入部１１の外周面に形成した雄ねじである。したがって、ねじ孔３の雌ねじと全長にわたってひっかかりが成立し、ナット１が電極軸線Ｏ−Ｏ方向に抜けることが確実に防止される。【００２７】  図２（Ｂ）に示したものは、突条２４が、挿入部１１の円周方向に配置した３本の環状突条２６で構成されている場合である。この環状突条２６は等間隔で配置してあり、その断面形状は矩形である。このため、ねじ孔３の雌ねじと３箇所においてひっかかりが成立し、ナット１が電極軸線Ｏ−Ｏ方向に抜けることが確実に防止される。【００２８】  図２（Ｃ）に示したものは、挿入部１１の外周面に多数の突起２７を形成したものである。この突起２７は、粒状あるいはイボ状の突出物であり、挿入部１１の外周面に千鳥状に配列してある。したがって、ねじ孔３の雌ねじと点在する複数箇所においてひっかかりが成立し、ナット１が電極軸線Ｏ−Ｏ方向に抜けることが確実に防止される。【００２９】  図３（Ａ）、（Ｂ）に示したものは、突条２４が、弾性リング２９で構成された場合である。挿入部１１の外周面に円周方向の凹溝２８を形成し、そこに弾性リング２９をはめ込んだものである。弾性リング２９はゴムや合成樹脂などの弾性材料で作られており、ここではシリコンゴムが使用されている。したがって、ねじ孔３の雌ねじが弾性リング２９の表面に食い込んだ状態になり、ナット１が電極軸線Ｏ−Ｏ方向に抜けることが確実に防止される。また、２点鎖線図示のようにもう１つの弾性リング２９を間隔をあけて配置し、２箇所の弾性リング２９にねじ山が食い込むようにして、保持性を一層向上させることができる。【００３０】  図３（Ｃ）、（Ｄ）に示したものは、幅の広い凹溝２８に２本の弾性リング２９を並べて配置したものである。この場合は、弾性リング２９が隣り合って並んでいるので、ねじ山の食い込みが多くの箇所で確実に成立する。また、２点鎖線図示のようにもう１組の弾性リング２９の間隔をあけて配置し、２箇所の弾性リング２９にねじ山が食い込むようにして、保持性を一��向上させることができる。【００３１】  以上に説明した実施例１の作用効果は、つぎのとおりである。【００３２】  プロジェクションナット１のねじ孔３に相対的に進入したガイドピン９には、その外周面に抜け止め部２３が形成されているので、ねじ孔３のねじ山に抜け止め部２３がひっかかった状態になり、ナット１に振動や何等かの部材が干渉して電極の軸線Ｏ−Ｏ方向に抜けようとしても、ナット１はガイドピン９から外れることなく確実に保持される。【００３３】  前記挿入部１１は、その直径が全長にわたって不変である。【００３４】  前記挿入部１１の直径は全長にわたって不変である。つまり、挿入部１１はテーパ型のように傾斜した状態ではないので、電極軸線Ｏ−Ｏ方向におけるナット１の保持性がより確実にえられる。【００３５】  前記抜け止め部２３は、挿入部１１の円周方向に形成された突条２４である。【００３６】  ねじ孔３に形成された雌ねじのねじ山が、前記円周方向に形成された突条２４にひっかかった状態になり、ナット１に振動や何等かの部材が干渉しても、ナット１はガイドピン９から電極の軸線Ｏ−Ｏ方向に外れることなく確実に保持される。【００３７】  前記突条２４は、複数の環状突条２６とされている。【００３８】  挿入部１１の円周方向に形成されている環状突条２６が複数とされているから、ねじ山とのひっかかりが複数箇所において成立し、電極の軸線Ｏ−Ｏ方向におけるナット１の保持性は一層確実になる。【００３９】  前記突条２４は、単一の螺旋突条、すなわち挿入部１１に切られた雄ねじとされている。【００４０】  前記挿入部１１に単一の螺旋突条、すなわち雄ねじが切られているから、多数の箇所でねじ山とのひっかかりが成立し、電極軸線Ｏ−Ｏ方向におけるナット１の保持性は一層確実になる。【００４１】  前記突条２４は、挿入部１１の外周に設けた凹溝２８にはめ込んだ弾性リング２９である。【００４２】  突条２４が弾性リング２９とされているので、雌ねじのねじ山が弾性リング２９の表面に食い込むような状態になり、電極の軸線Ｏ−Ｏ方向におけるナット１の保持性は一層確実になる。
【産業上の利用可能性】
【００４３】  上述のように、本発明によれば、ガイドピン自体にプロジェクションナットの保持機能を持たせた電気抵抗溶接用電極のガイドピンであるから、ガイドピンにおけるナットの保持性が確保され、自動車の車体溶接工程や、家庭電化製品の板金溶接工程などの広い産業分野で利用できる。
【図面の簡単な説明】
【００４４】
【図１】ガイドピンの側面図と部分的な断面図である。
【図２】ガイドピンの部分的な側面図である。
【図３】ガイドピンの部分的な側面図と部分的な断面図である。
【図４】従来構造を示す断面図である。
【符号の説明】
【００４５】  １    プロジェクションナット
５    固定電極
９    ガイドピン
１０    摺動部
１１    挿入部
２３    抜け止め部
２４    突条
２６    環状突条
２７    突起
２８    凹溝
２９    弾性リング
Ｏ−Ｏ  中心軸線
【図１】
2010142875.tif 000003
【図２】
2010142875.tif 000004
【図３】
2010142875.tif 000005
【図４】
2010142875.tif 000006